(57)【要約】【課題】  通話中の録音データ又は録画データをネットワーク上の記憶要素に保存できるようにすることにより、端末内部のメモリ容量を圧迫しない無線通信端末を提供する。【解決手段】  無線通信端末（２００）は、他の通信端末（１００）との間で音声通話又は動画を含む音声通話を行う際に、その通話と並行して、それらの音声又は動画のデータをネットワーク（４０１）上のサーバ（４０２）にアップロードする。このため、当該サーバ（４０２）自身又はサーバ（４０２）に接続された記憶装置（４０３）内に、そのアップロードデータ（４０４）を蓄積保存できるようにしておけば、無線通信端末（２００）のメモリ容量を圧迫することなく、音声の録音機能又は動画の録画機能を外部付加的に実現することができる。【選択図】  図１
2006074538.tif 000002
【特許請求の範囲】
【請求項１】
所定の無線通信媒体を介して他の通信端末との間で音声データ又は音声データを含む動画データを送受信する第一通信手段と、
前記の音声データ又は動画データに含まれる音声データを再生して拡声すると共に入力された音声を前記の音声データに変換する音声入出力手段と、
前記の動画データを可視画像に再生して表示する表示手段と、
前記の無線通信媒体と異なる他の無線通信媒体を介してネットワーク上のサーバにアクセスする第二通信手段と、
前記第一通信手段を介して送受信される音声データ又は音声データを含む動画データを前記第二通信手段から前記ネットワーク上のサーバにアップロードするアップロード手段と、
を備えたことを特徴とする無線通信端末。
【請求項２】
前記第二通信手段から前記ネットワーク上のサーバにアクセスして、既にアップロードされている音声データ又は音声データを含む動画データをダウンロードするダウンロード手段と、
前記ダウンロード手段によってダウンロードされた音声データを前記音声入出力手段に出力し、また、動画データが含まれている場合には、その動画データを前記表示手段に出力するデータ出力手段とをさらに備えたことを特徴とする請求項１記載の無線通信端末。
【請求項３】
前記第二通信手段を介してアクセスするネットワーク上のサーバを、いくつかの選択肢の中からユーザに選択させる選択手段をさらに備えたことを特徴とする請求項１記載の無線通信端末。
【請求項４】
前記選択肢の一つは、前記第二通信手段によって行われるネットワーク上のサーバへのアクセスを禁止するものであることを特徴とする請求項３記載の無線通信端末。
【請求項５】
前記表示手段は、前記アップロード手段に対するアップロードの開始の指示と停止の指示を行うためのコントロール部品を表示することを特徴とする請求項１記載の無線通信端末。
【発明の詳細な説明】
【技術分野】
【０００１】
本発明は、無線通信端末に関し、たとえば、テレビ電話機能付携帯電話機などの無線通信端末に関する。
【背景技術】
【０００２】
従来より、通話中の会話を録音できる「録音機能」を備えた携帯電話機が知られている（たとえば、特許文献１参照。）。録音機能とは、通話中の会話をデジタルデータに変換して、携帯電話機内部のメモリに保存するというものである。この機能を活用することにより、筆記具を持ち歩く必要がなくなる。
【０００３】
【特許文献１】特開平６−５４０８６号公報
【発明の開示】
【発明が解決しようとする課題】
【０００４】
しかしながら、従来の「録音機能」は、通話中の会話を携帯電話機内部のメモリに録音するというものであり、その録音時間は、もっぱら携帯電話機内部のメモリ容量に依存するため、しばしば、録音中にメモリフルの状態となってしまうことがあり、途中で録音を断念せざるを得なくなるという問題点がある。
【０００５】
また、上記の「録音機能」は、通話中の会話、つまり“音声”を録音するものであるが、今日の携帯電話機は、動画を撮影しながら通話を行うことも可能な機種も存在し、この機種同士で、いわゆる「テレビ電話」的な利用をすることができるようになっている。
【０００６】
こうしたテレビ電話対応の携帯電話機においても、通話中のテレビ電話を記録（音声と映像の記録、以下、単に録画という。）する要求はあり得るので、上記の「録音機能」を発展させて、音声のみならず、動画も一緒に記録する「録画機能」とすることが考えられるが、動画のデータ量は、たとえ、適切な圧縮技術を用いたとしても、音声のそれよりも遙かに膨大であるから、携帯電話機内部にきわめて大きなメモリ容量を必要とする上、長時間の録画や録画を繰り返した場合には、かかる大容量メモリであっても、すぐにメモリフルの状態になってしまうという問題点がある。
【０００７】
そこで、本発明の目的は、通話中の録音データ又は録画データをネットワーク上の記憶要素に保存できるようにすることにより、端末内部のメモリ容量を圧迫しない無線通信端末を提供することにある。
【課題を解決するための手段】
【０００８】
請求項１記載の無線通信端末は、所定の無線通信媒体を介して他の通信端末との間で音声データ又は音声データを含む動画データを送受信する第一通信手段と、前記の音声データ又は動画データに含まれる音声データを再生して拡声すると共に入力された音声を前記の音声データに変換する音声入出力手段と、前記の動画データを可視画像に再生して表示する表示手段と、前記の無線通信媒体と異なる他の無線通信媒体を介してネットワーク上のサーバにアクセスする第二通信手段と、前記第一通信手段を介して送受信される音声データ又は音声データを含む動画データを前記第二通信手段から前記ネットワーク上のサーバにアップロードするアップロード手段とを備えたことを特徴とする。
請求項２記載の無線通信端末は、請求項１記載の無線通信端末において、前記第二通信手段から前記ネットワーク上のサーバにアクセスして、既にアップロードされている音声データ又は音声データを含む動画データをダウンロードするダウンロード手段と、前記ダウンロード手段によってダウンロードされた音声データを前記音声入出力手段に出力し、また、動画データが含まれている場合には、その動画データを前記表示手段に出力するデータ出力手段とをさらに備えたことを特徴とする。
請求項３記載の無線通信端末は、請求項１記載の無線通信端末において、前記第二通信手段を介してアクセスするネットワーク上のサーバを、いくつかの選択肢の中からユーザに選択させる選択手段をさらに備えたことを特徴とする。
請求項４記載の無線通信端末は、請求項３記載の無線通信端末において、前記選択肢の一つは、前記第二通信手段によって行われるネットワーク上のサーバへのアクセスを禁止するものであることを特徴とする。
請求項５記載の無線通信端末は、請求項１記載の無線通信端末において、前記表示手段は、前記アップロード手段に対するアップロードの開始の指示と停止の指示を行うためのコントロール部品を表示することを特徴とする。
【発明の効果】
【０００９】
請求項１記載の無線通信端末によれば、他の通信端末との間で音声通話又は動画を含む音声通話を行う際に、その通話と並行して、それらの音声又は動画のデータがネットワーク上のサーバにアップロードされる。このため、当該サーバ自身又はサーバに接続された記憶装置内に、そのアップロードデータを蓄積保存できるようにしておけば、無線通信端末のメモリ容量を圧迫することなく、音声の録音機能又は動画の録画機能を外部付加的に実現することができる。
請求項２記載の無線通信端末によれば、ネットワーク上のサーバに既にアップロード済の音声データ（録音データ）又は音声を含む動画データ（録画データ）を無線通信端末にダウンロードして再生することができる。
請求項３記載の無線通信端末によれば、ネットワーク上の録音先又は録画先を選択することができ、たとえば、無線通信端末の使用場所（出先又は家庭等）に適合した録音先又は録画先とすることができる。
請求項４記載の無線通信端末によれば、ユーザの希望により、ネットワーク上のサーバへのアクセスを禁止することができ、不要な録音又は録画を行わないようにすることができる。
請求項５記載の無線通信端末によれば、表示手段の表示を見ながらアップロード、つまり、録音や録画の開始の指示と停止の指示を行うことができ、必要な部分だけの録音又は録画を行うことができる。
【発明を実施するための最良の形態】
【００１０】
以下、本発明の実施例を、テレビ電話対応の携帯電話機を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１１】
図１は、本実施形態の全体的なシステム構成図である。この図において、携帯電話機１００、２００は、それぞれ最寄りの基地局３０１、３０２と、それらの基地局３０１、３０２の間を接続する電話回線網３０３とを介して一方から他方を呼び出して相互に音声による会話が可能な無線による通信端末である。
【００１２】
これらの携帯電話機１００、２００は、かかる音声通話の機能を備えるほか、さらに、動画を撮影しながら、音声データと一緒にその動画データを相互にやり取りすることができる、いわゆるテレビ電話機能を備えており、必要に応じて、これらの機能（音声通話機能／テレビ電話機能）を選択的に実行することができるものである。
【００１３】
携帯電話機１００、２００と基地局３０１、３０２との間は、所定周波数帯（たとえば、８００ＭＨｚ帯や１．５ＧＨｚ帯）の無線通信媒体を用いた小ゾーン（セル）方式で接続されている。小ゾーン方式とは、多数の基地局（図示の基地局３０１、３０２はその一部）を設けて、それらの連携により広範囲をカバーする方法である。各基地局がカバーする範囲をセルという。我が国の携帯・自動車電話の場合のひとつひとつのセルは半径２〜数Ｋｍ程度で、他のセルへ移動した場合でも、自動的に追尾接続を行うことができるようになっている。
【００１４】
このように、携帯電話機１００、２００は、基本的な通信機能（以下「主通信機能」という）として、小ゾーン（セル）方式の無線通信機能を備えているが、この主通信機能に加えて、さらに、副通信機能として、たとえば、ブルートゥースや無線ＬＡＮなどの近距離無線通信機能を備えている。
【００１５】
ブルートゥース（Bluetooth）とは、携帯電話、ノートパソコン、携帯情報端末などのモバイル機器やその他、種々の電子機器同士をケーブルの代替として近距離の無線でつなぐ通信規格のことである。ブルートゥースを使用すると、様々なコンピュータ機器と通信機器をケーブルを使用することなく「ワイヤレス」で近距離データ通信をすることができる。“近距離”とは、現状の仕様では１０ｍ以内とされている。近距離の無線技術としては、これ以外にも、ＩｒＤＡ（Infrared Data Association）という赤外線を使った無線データ通信が知られているが、直進性の高い赤外線を利用するために機器同士のポート部を向かい合わせないと通信できなかったり、少しでも機器の位置がずれると通信が途絶えてしまうということで、実際はあまり使われていないのが実情である。ブルートゥースの場合は、間に障害物があっても（例えば隣の部屋など）所定距離以内であれば通信することができる。
【００１６】
無線ＬＡＮも、「無線電波」を用いて「近距離のデータ通信」を行う点で、ブルートゥースと類似する。さらに、ブルートゥースと同様に障害物があっても（例えば隣の部屋など）所定距離以内であれば通信することができる点で共通する。
【００１７】
本実施形態における「副通信機能」は、「主通信機能」と共存することができ、且つ、所定距離以内であれば間に壁などの障害物が存在していても、また、ポート同士を対向させることなく、所定のネットワークに自由にアクセスすることができるもののことをいい、特に限定しないが、以下の説明においては、その副通信機能の典型例を上記のブルートゥース又は無線ＬＡＮとする。
【００１８】
さて、図示の携帯電話機１００、２００のうち、少なくとも一方の携帯電話機２００は、上記の二つの無線通信機能（主通信機能と副通信機能）を備えていなければならない。このように二つの無線通信機能（主通信機能と副通信機能）を備えた携帯電話機２００は、主通信機能を利用して、携帯電話機１００や他の携帯電話機又は一般加入電話機との間で音声による通話を行うことができ、さらに、携帯電話機１００との間でテレビ電話による音声と動画のやり取りを行うことができる他、適宜に副通信機能を利用して、アクセスポイント４００に接続し、そのアクセスポイント４００につながるネットワーク４０１を経由して、所定のサーバ４０２にアクセスすることができる。携帯電話機２００は、発明の要旨に記載の「無線通信端末」に相当し、携帯電話機１００は、同要旨に記載の「他の通信端末」に相当する。
【００１９】
ここで、アクセスポイント４００は、上記の副通信機能がブルートゥースである場合はブルートゥース対応のアクセスポイントであり、又は無線ＬＡＮであれば無線ＬＡＮ対応のアクセスポイントである。また、ネットワーク４０１は、パケット通信方式の汎用ネットワークであり、たとえば、ローカルエリアネットワーク（ＬＡＮ）等のプライベートネットワークであってもよいし、広域ネットワーク（インターネット網など）を含む複合的なネットワークであってもよい。いずれのネットワーク構成であっても、そのネットワーク上に存在するサーバ４０２に対して、アクセスポイント４００からシームレスに接続できるようになっていればよい。
【００２０】
サーバ４０２には、記憶装置４０３が接続されており、このサーバ４０２は、携帯電話機２００のユーザに対して、専用のデータ保存サービスを提供する。データ保存サービスとは、携帯電話機２００から適宜にアップロードされる音声を含む動画データ（テレビ電話の録画データ）を蓄積保存するサービスのことである。このサービスを受けるためには、予め携帯電話機２００のユーザ名等の個人情報（ログイン情報）をサーバ４０２に登録しておく必要がある。
【００２１】
サーバ４０２は、この登録により、携帯電話機２００のユーザ専用のファイルディレクトリを記憶装置４０３内に確保する。そして、携帯電話機２００からログイン要求があったときには、ログイン情報の認証を行って登録済の正規のユーザであると認証された場合に、そのユーザのファイルディレクトリに、アップロードされたテレビ電話の録画データ４０４を蓄積保存し、アップロードの完了後、録画データ４０４の圧縮処理を行い、以降、必要に応じて行われる携帯電話機２００からの録画データの再生要求を待ち、当該要求があったときには、ユーザ認証を経てから、要求された録画データ４０４をファイルディレクトリから読み出して、当該携帯電話機２００宛てにダウンロードする。
【００２２】
図２は、携帯電話機２００のブロック図である。この図において、携帯電話機２００は、主通信機能用のアンテナ２０１及び第一通信部２０２（第一通信手段）と、副通信機能用のアンテナ２０３及び第二通信部２０４（第二通信手段）と、レンズ等の光学系２０５を含む動画撮影用のカメラ部２０６と、バッテリ２０７を含む電源部２０８と、制御部２０９（アップロード手段、ダウンロード手段、データ出力手段）と、液晶表示パネル等の表示部２１０及び表示制御部２１１（表示手段）と、マイク２１２やスピーカ２１３及び音声入出力部２１４（音声入出力手段）と、各種の操作ボタンを含む操作部２１５と、制御プログラム等を格納する不揮発性半導体メモリ（以下「ＲＯＭ」）２１６と、ワークメモリ用の揮発性半導体メモリ（以下「ＲＡＭ」）２１７とを備える。なお、電源部２０８に接続されているＡＣアダプタ２１８は、必要に応じて自宅などでバッテリ２０７を充電するために用いられるものである。
【００２３】
主通信機能用のアンテナ２０１は、たとえば、図１に示すように、携帯電話機２００の折り畳み式本体の上端から一部が突き出しており、また、副通信機能用のアンテナ２０３は、携帯電話機２００の折り畳み式本体の下端から一部が突き出しているが、これに限定されない。折り畳み式本体の内部に実装された（したがって、外部から見えない）ものであってもよい。
【００２４】
この携帯電話機２００は、制御部２０９の統括的制御により、他の電話機（図１の携帯電話機１００など）との間の音声通話、又は、テレビ電話機能を利用した通話を行うことが可能である。すなわち、制御部２０９は、ＲＯＭ２１６からＲＡＭ１０７に読み出された所要の制御プログラムを実行して、他の電話機からの着信待ちの状態とし、他の電話機からの呼び出しがあると、操作部２１５からのボタン操作信号（この場合はオンフック操作）に応答して、当該他の電話機との間で呼を確立した後、当該他の電話機との間の音声通話、又は、テレビ電話機能を利用した通話を制御する。あるいは、着信待ちの状態で、操作部２１５からのボタン操作信号（ダイアルボタン操作とオンフック操作）を受け取ると、そのダイアルボタン操作で指定された端末番号の他の電話機を呼び出す発呼制御を行い、以降、上記と同様に、当該他の電話機との間で呼を確立した後、当該他の電話機との間の音声通話、又は、テレビ電話機能を利用した通話を制御する。
【００２５】
ここで、音声通話とは、マイク２１２とスピーカ２１３を用いて、相手の電話機との間で主通信機能を利用した“音声のみ”による通話を行うことをいい、この音声通話の場合、カメラ部２０６は動作しない。これに対して、テレビ電話機能を利用した通話の場合は、相手の電話機との間で主通信機能を利用した“音声”による通話を行うのと並行して、互いのカメラ部２０６で撮影されているリアルタイムな“動画”もやり取りする。すなわち、表示部２１０に映し出された動画像（相手の姿像と必要であれば自分自身の姿像）をモニターしつつ、マイク２１２とスピーカ２１３を用いた音声の会話を行う。この場合、主通信機能を利用したデータの送受信は“音声を含む動画”である。
【００２６】
さて、本発明の課題は、「通話中の録音データ又は録画データをネットワーク上の記憶要素に保存できるようにすることにより、端末内部のメモリ容量を圧迫しない無線通信端末を提供する」ことにある。通話中の録画データとは、テレビ電話機能を利用した通話を行う際に、主通信機能によって他の電話機との間でやり取りされる“音声を含む動画”のことである。
【００２７】
また、ネットワーク上の記憶要素とは、サーバ４０２に接続されている記憶装置４０３のことであり、より正確には、この記憶装置４０３の内部に確保されている、携帯電話機２００のユーザ専用のファイルディレクトリのことである。
【００２８】
図３は、携帯電話機２００の制御部２０９で実行される制御プログラムのフローチャートを示す図である。この制御プログラムは、通話中の録画データをネットワーク上の記憶要素に保存するためのものであり、以下、便宜的に「端末側におけるテレビ電話の録画制御プログラム」ということにする。
【００２９】
図４は、サーバ４０２で実行される制御プログラムのフローチャートを示す図である。この制御プログラムは、上記の「端末側におけるテレビ電話の録画制御プログラム」と協調して、携帯電話機２００から送られてきた録画データを記憶装置４０３に蓄積保存するためのものであり、以下、便宜的に「サーバ側におけるテレビ電話の録画制御プログラム」ということにする。
【００３０】
まず、「端末側におけるテレビ電話の録画制御プログラム」を説明する。このプログラムでは、最初に、テレビ電話の開始であるか否かを判定する（ステップＳ１１）。そして、テレビ電話の開始でなければプログラムを終了し、テレビ電話の開始であれば、次に、副通信機能（アンテナ２０３と第二通信部２０４）を用い、ネットワーク４０１上のサーバ４０２にアクセスしてログイン処理を行い（ステップＳ１２）、ログイン成立か否かを判定する（ステップＳ１３）。そして、ログイン不成立（認証不可又はアクセスポイント４００から離れすぎている）の場合はプログラムを終了し、ログイン成立の場合は、次に、通話中の録画データ４０４を、副通信機能（アンテナ２０３と第二通信部２０４）を介してネットワーク４０１上のサーバ４０２に送出する（ステップＳ１４）。そして、テレビ電話の終了を待ち（ステップＳ１５）、テレビ電話を終了すると、ネットワーク４０１上のサーバ４０２に対して録画データ４０４の圧縮指令を送出（ステップＳ１６）した後、ログオフ処理（ステップＳ１７）を経てプログラムを終了する。
【００３１】
次に、「サーバ側におけるテレビ電話の録画制御プログラム」を説明する。このプログラムでは、最初に、端末（携帯電話機２００）からのログインを待ち（ステップＳ２１）、ログインがあると、その端末（携帯電話機２００）のユーザ認証を行う（ステップＳ２２）。ユーザ認証とは、たとえば、その端末（携帯電話機２００）から送られてきた識別情報やパスワードの正否を判定する処理のことをいう。この認証により、正当なユーザであると判定された場合（ステップＳ２３の“ＹＥＳ”）には、次に、そのユーザに割り当てられているファイルディレクトリを記憶装置４０３から選択する（ステップＳ２４）。そして、携帯電話機２００から送られてくる録画データ４０４を取り込み（ステップＳ２５）、そのファイルディレクトリに蓄積保存するという動作を、携帯電話機２００から録画データ４０４の圧縮指令が送られてくるまで（ステップＳ２６の“ＹＥＳ”）継続的に実行し、携帯電話機２００から録画データ４０４の圧縮指令が送られてくると、ログオフ処理を実行（ステップＳ２７）した後、ファイルディレクトリ内に蓄積保存されている録画データ４０４を所定の圧縮アルゴリズム（たとえば、ＭＰＥＧ２など）で圧縮処理して上書き更新し（ステップＳ２８）、再び、端末（携帯電話機２００）からのログイン待ちの状態（ステップＳ２１）に移行する。
【００３２】
以上の二つの制御プログラム（「端末側におけるテレビ電話の録画制御プログラム」と「サーバ側におけるテレビ電話の録画制御プログラム」）によれば、その協調動作により、以下の作用が得られる。すなわち、携帯電話機２００と他の電話機・・・・少なくともテレビ電話対応のもの（たとえば、図１の携帯電話機１００）・・・・との間で、テレビ電話を利用した通話を行うとき、そのテレビ電話中の録画データ４０４が携帯電話機２００からネットワーク４０１上のサーバ４０２に送られ、記憶装置４０３に蓄積保存される。そして、テレビ電話の終了に伴って、記憶装置４０３に蓄積保存されている録画データ４０４が圧縮処理される。
【００３３】
したがって、テレビ電話の録画データ４０４を、携帯電話機２００以外の記憶要素、つまり、ネットワーク４０１上の記憶装置４０３に蓄積保存することができるから、たとえ、長時間の録画や複数回の録画を行った場合でも、携帯電話機２００のメモリ容量を圧迫しないという格別の効果が得られる。
【００３４】
図５は、携帯電話機２００の制御部２０９で実行される他の制御プログラムのフローチャートを示す図である。この制御プログラムは、ネットワーク上の記憶要素に蓄積保存されている録画データ４０４を携帯電話機２００にダウンロードして再生するためのものであり、以下、便宜的に「再生制御プログラム」ということにする。
【００３５】
このプログラムでは、まず、副通信機能（アンテナ２０３と第二通信部２０４）を用い、ネットワーク４０１上のサーバ４０２にアクセスしてログイン処理を行い（ステップＳ３１）、ログイン成立か否かを判定する（ステップＳ３２）。そして、ログイン不成立（認証不可又はアクセスポイント４００から離れすぎている）の場合はプログラムを終了し、ログイン成立の場合は、次に、携帯電話機２００のユーザ専用のファイルディレクトリに蓄積保存されている録画データのファイル一覧から希望するファイルを選択する（ステップＳ３３）。そして、その選択指令に応答して、ネットワーク４０１上のサーバ４０２から送られてくる録画データ４０４を携帯電話機２００に取り込み、所要のアプリケーションプログラム（動画再生プログラム）を実行して、ダウンロードした録画データ４０４を再生し（ステップＳ３４）、再生完了を判定すると（ステップＳ３５）、他のファイルの再生を行うか否かを判定し（ステップＳ３６）、他のファイルの再生を行う場合には、再びファイル選択処理（ステップＳ３３）を実行し、他のファイルの再生を行わない場合には、ログオフ処理（ステップＳ３７）を経てプログラムを終了する。
【００３６】
したがって、この制御プログラムによれば、好きなときにネットワーク４０１上のサーバ４０２にアクセスして、記憶装置４０３に蓄積保存されている録画データ４０４（過去のテレビ電話の録画データ）を携帯電話機２００にダウンロードして再生することができる。しかも、そのダウンロードデータ（録画データ４０４）はサーバ４０２で圧縮処理されたものであるから、この再生に際して必要とされる携帯電話機２００のワークメモリ（ＲＡＭ２１７）の容量は、少なくとも圧縮前の録画データ４０４をそのまま再生するときよりも少なくなるから、この点においても、携帯電話機２００のメモリ容量を圧迫しないという格別の効果が得られる。
【００３７】
なお、本発明は以上の実施形態に限定されず、その思想の範囲内において様々な変形例や発展例を包含することはもちろんであり、たとえば、以下のようにしてもよい。
【００３８】
図６は、携帯電話機２００の設定メニュー画面の一部を示す図である。このメニュー画面は階層化された構造を有している。すなわち、「音設定」、「画面設定」、「一般設定」、「ネットワーク設定」、・・・・などの設定項目を含む上位メニュー画面５０１と、その「ネットワーク設定」の下層に位置し、「サービス」、「留守番電話」、「メール」、「着信拒否」、「テレビ電話録画」、・・・・などの設定項目を含む中位メニュー画面５０２と、その「テレビ電話録画」の下層に位置する下位メニュー画面５０３とを有している。
【００３９】
そして、下位メニュー画面５０３は、携帯電話機２００を持ち運ぶ際のモバイル設定項目５０４（選択手段）と、携帯電話機２００を家庭等で使用する際のホーム設定項目５０５（選択手段）と、これらの設定内容をキャンセルするためのキャンセルボタン５０６と、これらの設定内容を確定するための決定ボタン５０７とを備えている。
【００４０】
モバイル設定項目５０４には、モバイル（携帯）中にテレビ電話の録画を行うか否かの択一的コントロール（する／しない）５０４ａ、５０４ｂが設けられている。図示の例では、“する”コントロール５０４ａが黒く塗りつぶされており、選択中であることを明示している。この設定にすると、この携帯電話機２００をモバイル中にテレビ電話の通話を行った場合、最寄りのアクセスポイント（アクセスポイント４００）を探索して、そのアクセスポイントが利用できるときには、当該アクセスポイントを介してネットワーク４０１上のサーバ４０２にアクセスするが、“しない”コントロール５０４ｂを選択しているときは、最寄りのアクセスポイント（アクセスポイント４００）の探索を行わない。このため、不要な通信を行わないようにして、バッテリ２０７の延命化を図ることができる。
【００４１】
また、ホーム設定項目５０５には、テレビ電話の録画先を選択するためのいくつかのコントロール（図示の例ではホームネットワーク上のパソコンとインターネット上のサーバ、たとえば、インターネットサービスプロバイダのサーバ）５０５ａ、５０５ｂと、“しない”コントロール５０５ｃが設けられている。テレビ電話の録画を行う場合には、必要に応じてコントロール５０５ａ、５０５ｂのいずれかを選択し、テレビ電話の録画を行わない場合には、“しない” コントロール５０５ｃを選択する。モバイル設定項目５０４やホーム設定項目５０５の設定内容を変更した場合、その設定内容を確定するには決定ボタン５０７を押せばよく、やり直す場合や未確定とする場合にはキャンセルボタン５０６を押せばよい。
【００４２】
このような構成によれば、ホーム使用時において、テレビ電話の録画先を任意に選択することができる。たとえば、図示の例では、ホームネットワーク上のパソコン又はインターネットサービスプロバイダのサーバのいずれかを、テレビ電話の録画先として指定することができる。このため、たとえば、インターネットサービスプロバイダのサーバをテレビ電話の録画先として指定した場合には、以降、如何なる場所（但し、インターネットへの接続が可能な場所）であっても、自由にインターネットサービスプロバイダのサーバにアクセスして録画データをダウンロードし、携帯電話機２００で再生することができる。
【００４３】
また、テレビ電話の録画先をホームネットワーク上のパソコンとした場合には、そのパソコンで録画データを編集することができ、不必要なシーンを取り除いたり、所望のフレームを静止画としてキャプチャしたりすることができる。あるいは、テレビ電話の録画先をインターネットサービスプロバイダのサーバとした場合に、ホームネットワーク上のパソコンからそのインターネットサービスプロバイダのサーバにアクセスできる環境であれば、パソコンに録画データをダウンロードすることにより、上記と同様に、そのパソコンで録画データを編集することができ、不必要なシーンを取り除いたり、所望のフレームを静止画としてキャプチャしたりすることができる。
【００４４】
図７は、携帯電話機２００の表示部２１０の表示例を示す図である。この図において、表示部２１０には、テレビ電話中の画面が表示されている。この画面には、相手の姿を映し出すための大きめのメイン表示枠２１０ａと、自分の姿を映し出すための小さめのサブ表示枠２１０ｂとが設定されており、携帯電話機２００のユーザは、サブ表示枠２１０ｂを見ながら自分の姿が枠内に収まるように携帯電話機２００（のカメラ部２０６）の向きを調整する。表示部２１０の下側には、現在のタイトル名が「録画」となっているボタン２１０ｃ（コントロール部品）が表示されており、このボタン２１０ｃを押すことによって、テレビ電話の録画を開始できようになっている。また、このボタン２１０ｃは“トグル方式”のボタンであり、テレビ電話の録画を停止するときは、再びボタン２１０ｃを押せばよいようになっている。さらに、ボタン２１０ｃを押すたびに、そのタイトル名が「録画」と「停止」に切り替わるようになっており、録画から停止、又は、停止から録画へと直感的なボタン操作を行うことができるようになっている。
【００４５】
このようなボタン２１０ｃを設けることにより、テレビ電話の録画と停止をユーザの意思によって自発的に行うことができ、無駄な録画の実行を回避することができる。
【００４６】
なお、以上の説明では、通話中の録画データ、すなわち、“音声”と“動画”のデータをネットワーク４０１上の記憶要素（記憶装置４０３）に蓄積保存しているが、これに限定されない。“音声のみ”のデータ（録音データ）をネットワーク４０１上の記憶要素（記憶装置４０３）に蓄積保存するようにしてもよい。録画データを例にして説明した理由は、録音データに比べてデータ量が多く、それだけ携帯電話機２００のメモリ容量の圧迫回避効果が大きいからである。
【図面の簡単な説明】
【００４７】
【図１】本実施形態の全体的なシステム構成図である。
【図２】携帯電話機２００のブロック図である。
【図３】端末側におけるテレビ電話の録画制御プログラムのフローチャートを示す図である。
【図４】サーバ側におけるテレビ電話の録画制御プログラムのフローチャートを示す図である。
【図５】再生制御プログラムのフローチャートを示す図である。
【図６】携帯電話機２００の設定メニュー画面の一部を示す図である。
【図７】携帯電話機２００の表示部２１０の表示例を示す図である。
【符号の説明】
【００４８】
１００  携帯電話機（他の通信端末）
２００  携帯電話機（無線通信端末）
２０２  第一通信部（第一通信手段）
２０４  第二通信部（第二通信手段）
２０９  制御部（アップロード手段、ダウンロード手段、データ出力手段）
２１０  表示部（表示手段）
２１０ｃ  ボタン（コントロール部品）
２１１  表示制御部（表示手段）
２１２  マイク（音声入出力手段）
２１３  スピーカ（音声入出力手段）
２１４  音声入出力部（音声入出力手段）
４０１  ネットワーク
４０２  サーバ
５０４  モバイル設定項目（選択手段）
５０５  ホーム設定項目（選択手段）
【図１】
2006074538.tif 000003
【図２】
2006074538.tif 000004
【図３】
2006074538.tif 000005
【図４】
2006074538.tif 000006
【図５】
2006074538.tif 000007
【図６】
2006074538.tif 000008
【図７】
2006074538.tif 000009